(57)【特許請求の範囲】
【請求項１】
矩形形状の足場板と、
この足場板の対向する短辺部にそれぞれ取付けられて一対をなす脚部と、
少なくとも一方の脚部の両側部に上下方向に引き出し自在に取付けられた左右一組の手掛り棒からなる手掛部と、
前記少なくとも一方の脚部の両側部にそれぞれ取付けられ、前記手掛り棒を摺動自在に保持し、かつ前記手掛り棒を該脚部の側部に沿って前記足場板に対して斜め方向に突出する傾斜姿勢から前記足場板に対して略垂直方向に突出する直立姿勢まで取付姿勢調整自在に保持可能とした棒保持部と、
を具備することを特徴とする作業用足場台。
【請求項２】
前記左右一組の手掛り棒間に、踏み外し防止用の横架バーを配設したことを特徴とする請求項１記載の作業用足場台。
【請求項３】
前記棒保持部は、
前記脚部の左右一対の脚柱の外側面に固着されるベース金具と、
このベース金具の表面上部に、枢軸を中心に回動自在に取付けられた棒受金具と、
を備え、
前記棒受金具は、
前記枢軸の下方に位置し、前記手掛り棒を、摺動自在に保持可能であり、かつ所定位置で固定する固定具を備えた鞘部と、
この鞘部の下方に位置し、当該棒受金具を所定回動位置で固定する位置決め部と、
当該棒受金具の回動動作を案内する回動ガイド部と、
を備えることを特徴とする請求項１又は２に記載の作業用足場台。
【請求項４】
前記手掛部を、前記一対の脚部にそれぞれ取付け、前記足場板の長辺部を挟んで対向する手掛り棒間に手摺を架設するとともに、前記手摺を、スライド自在に嵌装される内装部材と外装部材とから構成し、前記手掛り棒の引き出し動作に応じて伸縮可能に構成したことを特徴とする請求項１〜３のいずれか１項に記載の作業用足場台。
【請求項５】
前記一対の脚部を、それぞれ折畳・開脚自在に構成するとともに、少なくとも前記手掛部を配設した側の脚部を、踏桟を備える梯子状脚体としたことを特徴とする請求項１〜４のいずれか１項に記載の作業用足場台。
【請求項６】
足場板に取付けられた脚部の両側脚柱に取付けられ、手掛り棒を摺動自在に保持するとともに、所定位置で固定可能とした足場台用手掛り棒保持金具であって、
前記脚柱の外側面に固着されるベース金具と、
このベース金具の表面上部に、枢軸を中心に回動自在に取付けられた棒受金具と、
を備え、
前記棒受金具は、
前記枢軸の下方に位置し、前記手掛り棒を、摺動自在に保持可能であり、かつ所定位置で固定する固定具を備えた鞘部と、
この鞘部の下方に位置し、当該棒受金具を所定回動位置で固定する位置決め部と、
当該棒受金具の回動動作を案内する回動ガイド部と、
を備える手掛り棒保持金具。
【発明の詳細な説明】
【技術分野】
【０００１】
本発明は、手掛り棒付の作業用足場台及び足場台用手掛り棒保持金具に関する。
【背景技術】
【０００２】
従来、矩形形状の足場板の対向する左右の短辺部それぞれに、脚部を所定角度で開脚自在及び折り畳み自在に設けた作業用足場台があった。
【０００３】
かかる作業用足場台として、前記脚部の両側部に、脚部の脚柱に沿って上下方向に引き出し自在に取付けられた左右一組の手掛り棒からなる手掛部と、前記手掛り棒を突出した状態で保持するロック手段と、前記脚柱の外側に設けられ、前記手掛り棒を摺動自在に保持するガイド金具と、を具備する作業用足場台が知られている（例えば、特許文献１を参照。）。
【０００４】
上記構成によれば、手掛り棒は脚柱に沿って上下するため、手掛り棒の一端に設けられた枢軸を中心に回動させるようなタイプに比べて、作業台の周りに広い空間が必要となることもなく、また、足場板に乗らなくとも手掛り棒のセットが容易に行うことができる。
【先行技術文献】
【特許文献】
【０００５】
【特許文献１】特開２００５−３３６９８７号公報
【発明の概要】
【発明が解決しようとする課題】
【０００６】
ところで、上述した作業用足場台では、足場板の短辺部を挟んで対向する左右の手掛り棒間に、踏み外し防止用の横架バーを配設することができる。
【０００７】
しかし、上述したように、手掛り棒が脚部の脚柱に沿って上方へ突出していく構成の場合、脚部は所定の開脚角度で正面視略ハ字状に開脚しているため、手掛り棒の上端は、足場板の短辺部の直上方位置よりも、長辺部の中心側へずれることになる。そのため、足場板の作業領域を狭めてしまうおそれがあった。
【０００８】
他方、手掛り棒が足場板の四隅から略直上方に突出するような構成とすることも考えられるが、そのような構成とした場合、当然ながら横架バーの位置も足場板の短辺部の直上方位置となるため、作業中に横架バーに身体が接触したときには、すでに足を足場板から踏み外しているということも懸念される。
【０００９】
本発明は上記問題を解決することのできる作業用足場台を提供することを目的としている。
【課題を解決するための手段】
【００１０】
（１）本発明では、矩形形状の足場板と、この足場板の対向する短辺部にそれぞれ取付けられて一対をなす脚部と、少なくとも一方の脚部の両側部に上下方向に引き出し自在に取付けられた左右一組の手掛り棒からなる手掛部と、前記少なくとも一方の脚部の両側部にそれぞれ取付けられ、前記手掛り棒を摺動自在に保持し、かつ前記手掛り棒を該脚部の側部に沿って前記足場板に対して斜め方向に突出する傾斜姿勢から前記足場板に対して略垂直方向に突出する直立姿勢まで取付姿勢調整自在に保持可能とした棒保持部と、を具備する作業用足場台とした。
【００１１】
（２）本発明は、上記（１）の作業用足場台において、前記左右一組の手掛り棒間に、踏み外し防止用の横架バーを配設したことを特徴とする。
【００１２】
（３）本発明は、上記（１）又は（２）の作業用足場台において、前記棒保持部は、前記脚部の左右一対の脚柱の外側面に固着されるベース金具と、このベース金具の表面上部に、枢軸を中心に回動自在に取付けられた棒受金具と、を備え、前記棒受金具は、前記枢軸の下方に位置し、前記手掛り棒を、摺動自在に保持可能であり、かつ所定位置で固定する固定具を備えた鞘部と、この鞘部の下方に位置し、当該棒受金具を所定回動位置で固定する位置決め部と、当該棒受金具の回動動作を案内する回動ガイド部と、を備えることを特徴とする。
【００１３】
（４）本発明は、上記（１）〜（３）のいずれかの作業用足場台において、前記手掛部を、前記一対の脚部にそれぞれ取付け、前記足場板の長辺部を挟んで対向する手掛り棒間に手摺を架設するとともに、前記手摺を、スライド自在に嵌装される内装部材と外装部材とから構成し、前記手掛り棒の引き出し動作に応じて伸縮可能に構成したことを特徴とする。
【００１４】
（５）本発明は、上記（１）〜（４）のいずれかの作業用足場台において、前記一対の脚部を、それぞれ折畳・開脚自在に構成するとともに、少なくとも前記手掛部を配設した側の脚部を、踏桟を備える梯子状脚体としたことを特徴とする。
【００１５】
（６）本発明では、足場板に取付けられた脚部の両側脚柱に取付けられ、手掛り棒を摺動自在に保持するとともに、所定位置で固定可能とした足場台用手掛り棒保持金具であって、前記脚柱の外側面に固着されるベース金具と、このベース金具の表面上部に、枢軸を中心に回動自在に取付けられた棒受金具と、を備え、前記棒受金具は、前記枢軸の下方に位置し、前記手掛り棒を、摺動自在に保持可能であり、かつ所定位置で固定する固定具を備えた鞘部と、この鞘部の下方に位置し、当該棒受金具を所定回動位置で固定する位置決め部と、当該棒受金具の回動動作を案内する回動ガイド部と、を備えることとした。
【発明の効果】
【００１６】
本発明によれば、手掛り棒の取付姿勢が調整自在となるため、踏み外し防止用の横架バーを取付ける際に、作業領域が狭くならないことを優先したり、あるいは足場台からの踏み外しを可及的に防止することを優先したりするなど、使用者が選択できるため、使い勝手が向上する。また、作業領域が著しく狭くならず、かつ足場台からの踏み外しも防止可能な位置に踏み外し防止用の横架バーを位置させることができる。
【図面の簡単な説明】
【００１７】
【図１】実施形態に係る作業用足場台の基本構成を示す正面図である。
【図２】同作業用足場台の一側面図である。
【図３】同作業用足場台の他側面図である。
【図４】一実施形態に係る作業用足場台の使用状態の一例を示す正面図である。
【図５】同作業用足場台の一側面図である。
【図６】同作業用足場台の使用状態の他の例を示す正面図である。
【図７】棒保持部の正面視による説明図である。
【図８】棒保持部の側面視による説明図である。
【図９】棒保持部である足場台用手掛り棒保持金具の正面図である。
【図１０】同棒保持部である足場台用手掛り棒保持金具の平面図である。
【図１１】同棒保持部である足場台用手掛り棒保持金具の一側面図である。
【図１２】同棒保持部である足場台用手掛り棒保持金具の他側面図である。
【図１３】変形例に係る棒保持部の正面視による説明図である。
【図１４】他の実施形態に係る作業用足場台の正面図である。
【発明を実施するための形態】
【００１８】
以下、本発明に係る作業用足場台の一実施形態について、図面を参照しながら具体的に説明する。先ず、図１〜図３を参照しながら、作業用足場台の基本構成について説明する。
【００１９】
（足場台の基本構成）
本実施形態に係る作業用足場台（以下、単に「足場台」という場合がある）は、基本構成として、短辺側縁部１０と長辺側縁部１１とを有する矩形形状の足場板１と、この足場板１の対向する短辺部をなす短辺側縁部１０，１０に、それぞれ折畳・開脚自在に取付けられた脚部２，２と、これら脚部２，２の両側部に、上下方向に引き出し自在に取付けられた左右一組の手掛り棒４１，４１からなる手掛部４とを具備している。
【００２０】
すなわち、本実施形態に係る作業用足場台は、足場板１の短辺側縁部１０が昇降口となるもので、作業者（足場台の使用者）は、脚部２，２を開脚した状態で脚部２を上り、地上から足場板１に移動して所望する作業を行うことができる。脚部２を上る際や降りる際には、作業者はいずれか一方、あるいは両方の手掛り棒４１を把持することによって、その昇降を容易に行うことができる。なお、手掛部４を、本実施形態では足場板１の短辺側縁部１０，１０の両方に設けているが、少なくともいずれか一方に設けられていればよい。
【００２１】
本実施形態に係る足場板１は、短辺側縁部１０と長辺側縁部１１との長さの比を略１：３としている。また、足場板１の表面には、図示しないが多数の滑り止め孔がバーリング加工により形成されている。なお、当然ではあるが、複数の作業者が同時に乗っても耐えうる十分な強度を有するものである。
【００２２】
左右の脚部２は、左右一対の脚柱２１，２１により略ハ字状となるように裾広がりの形状に形成されるとともに、それぞれ最大に開脚させたときに、足場板１から所定の角度で下り傾斜となって立脚するように構成されている。
【００２３】
また、本実施形態では、脚部２，２の開脚角度を、左右それぞれで異ならせた足場台としている。すなわち、図１において右側の脚部２については、開脚角度を１０７．５度（床面からの角度は７２．５度）に設定する一方、左側の脚部２の開脚角度は１００度（床面からの角度は８０度）に設定して、より起立した状態としている。なお、この開脚角度については適宜設定することができる。
【００２４】
また、図２に示すように、右側の脚部２については、脚柱２１，２１間に複数の踏桟２２を所定間隔をあけて取付けて梯子状に構成して昇降可能とする一方、図１において左側の脚部２については、ステップとして機能する踏桟２２は設けずに、脚柱２１，２１間には交差状の補強桟２４を取り付けている（図３参照）。
【００２５】
例えば、壁塗り作業などを行う場合であって、壁と壁とで挟まれたコーナー近傍で作業する際には、より起立した状態の脚部（例えば左側の脚部２）を壁際に可及的に近接させれば、作業領域を壁の隅側にシフトさせることができ、作業効率を向上させることができる。
【００２６】
また、脚柱２１は、下端部分が入れ子構造となっており、図示するように、所定長さLだけ伸長自在に構成されている。図中、符号GLは接地面を示している。また、符号４０で示したものは、足場板１の両端側と左右の各脚柱２１の最上段の踏桟２２との間に所定間隔をあけて配設した左右一組の開き止め金具であり、この開き止め金具４０，４０により、足場板１を安定した状態で保持することができる。
【００２７】
上述した基本構造を有する足場台において、本実施形態の特徴をなす構成は、脚部２の両側部にそれぞれ取付けられて、手掛り棒４１を取付姿勢調整自在に保持可能とした棒保持部８にある。
【００２８】
すなわち、棒保持部８により保持された手掛り棒４１の姿勢を、脚部２の脚柱２１に沿って足場板１に対して斜め方向に突出する傾斜姿勢（図１における仮想線を参照）と、足場板１に対して略垂直方向に突出する直立姿勢（図１における実線を参照）とに選択的に切り替えることができるようにしている。なお、ここでは、取付姿勢を調整可能とした棒保持部８は一方の脚部２にのみ取付けており、他方の脚部２には、手掛り棒４１を脚柱２１に沿ってのみ摺動自在とした固定式のガイド体９を設けている。
【００２９】
また、ここでは、傾斜姿勢と直立姿勢とのいずれかからの２者択一としているが、複数段の姿勢を選択可能とすることもできるし、起立姿勢から任意の傾斜姿勢まで無段階に姿勢調整することも可能である。
【００３０】
このように、手掛り棒４１の取付姿勢を、傾斜角度（ここでは、０度又は１７．５度）を変えることで調整可能としたため、脚部２を昇降する使用者（作業者）は、手掛り棒４１を、自分の昇降し易い好みに合った位置（姿勢）となるように調整することができる。
【００３１】
特に、左右一組の手掛り棒４１，４１間に、足場板１の短辺側縁部１０からの踏み外しを防止する横架バー５を配設することができ、かかる横架バー５を取付ける際に、作業領域が狭くならないことを優先したり、あるいは足場板１からの踏み外しを可及的に防止することを優先したりするなど、使用者が選択することができる。
【００３２】
すなわち、手掛り棒４１，４１が傾斜姿勢にある場合は、横架バー５の位置が足場板１の長辺端部（短辺側縁部１０）よりも長辺中心方向へシフトするため作業領域は狭くなるが、足場板１からの踏み外し防止機能としては高まる。他方、手掛り棒４１，４１が直立姿勢にある場合は、横架バー５の位置は足場板１の長辺端部(短辺側縁部１０)の直上方位置にあるため、十分な作業領域を確保することができる。
【００３３】
以下、図４〜図１４を参照しながら、棒保持部８を備える足場台について、手掛部４を構成する一対の手掛り棒４１，４１間に横架バー５が設けられた足場台を例にして詳細に説明する。また、以下で説明する足場台は、図４及び図５に示すように、足場板１の長辺側縁部１１を挟んで対向する手掛り棒４１，４１の各上端間には手摺３を配設している。
【００３４】
（横架バーと手摺とを備えた足場台）
手摺３は、足場板１の対向する長辺側縁部１１，１１に沿って、互いに対向状態に２本１組で設けられるとともに、スライド自在に嵌装される内装部材３ａと外装部材３ｂとからなる二重構造となっている。したがって、図４に示す手掛り棒４１が傾斜姿勢をとる場合と、図６に示すように手掛り棒４１が直立姿勢をとる場合とでは、手摺３を横架している手掛り棒４，４間の水平距離が変化するが、手摺３は手掛り棒４１の上下スライド動作に追従して伸縮する。
【００３５】
ここで、図６〜図１３を参照して棒保持部８について説明する。足場台の棒保持部８としては、実質的には、足場板１に取付けられた脚部２の両側の脚柱２１に取付けられ、手掛り棒４１を摺動自在に保持するとともに、所定位置で固定可能とした足場台用手掛り棒保持金具（以下、「保持金具」ともいう）８０からなる。
【００３６】
図７〜図１２に示すように、保持金具８０は、脚部２の左右一対の脚柱２１，２１の外側面に固着されるベース金具８１と、このベース金具８１の表面上部に、枢軸８２を中心に回動自在に取付けられた棒受金具８３とを備えている。
【００３７】
棒受金具８３は、手掛り棒４１を摺動自在に保持可能であり、かつ所定位置（少なくとも１個所の突出位置と収納位置）で固定可能とした固定具８４を設けた鞘部８５と、この鞘部８５の下方に位置し、棒受金具８３を所定回動位置で固定する位置決め部９１と、当該棒受金具８３の回動動作を案内する回動ガイド部９２とを備えている。
【００３８】
固定具８４は、つまみ部８４ａに突設した係合ピン８４ｂと、この係合ピン８４ｂを手掛り棒４１側に付勢するバネ８４ｃとから構成されており、手掛り棒４１の上端及び下端近傍に形成した係止孔（不図示）に係合ピン８４ｂを係合することで手掛り棒４１の位置を固定することができる。
【００３９】
本実施形態における位置決め部９１は、手掛り棒４１を傾斜姿勢に位置決めする（図４参照）第１の位置決め孔９１ａと、起立姿勢に位置決めする（図６参照）第２の位置決め孔９１ｂとからなる構成としている。また、第１の位置決め孔９１ａと第２の位置決め孔９１ｂは枢軸８２を中心とする仮想円弧上に配置されている。また、回動ガイド部９２は弧状長孔により形成されており、これも実質的には枢軸８２を中心とする仮想円弧上に形成されている。
【００４０】
この回動ガイド部９２内からボルト９３を挿通してベース金具８１に形成したボルト孔９３ａに挿通してナット９４で螺合することにより、棒受金具８３を枢軸８２周りに回動させたときに、棒受金具８３はベース金具８１から浮くことなく円滑に回動する。
【００４１】
ベース金具８１は、脚柱２１を抱持可能となるように、一側の上下と他側の略上半部に折曲部８１ａ，８１ｂ，８１ｃを形成するともに、折曲部８１ｃ一側下部に形成した折曲部８１ｂと対向する他側の略下半部を外方に張り出してロック具取付部８１ｄを形成している。
【００４２】
ベース金具８１の上端中央近傍には枢軸８２となる軸体を挿入するベース側枢支孔８２ａが形成されており（図１２参照）、この枢支孔８２ａと後述する受金具側枢支孔８２ｂに枢軸８２を挿通し、棒受金具８３がこの枢軸８２を中心として回動自在に連結されている。
【００４３】
また、ベース金具８１のロック具取付部８１ｄには、位置決め部９１の第１の位置決め孔９１ａと第２の位置決め孔９１ｂとのいずれかに選択的に挿通されるロックピン８７ａを備えるロック具８７が取付けられている。このロック具８７は、ロックピン８７ａと、このロックピン８７ａを位置決め部９１側に付勢するバネ８７ｂとを収容するケース体８７ｃとから構成されている。なお、符号８７ｄは、ロックピン８７ａの基端に形成された摘みリングを示している。また、このロック具８７の下方位置に前述のボルト９３を挿通するボルト孔９３ａが形成されている。
【００４４】
棒受金具８３は、下部に形成された広幅部８３ａから上方へ細幅部８３ｂを伸延形成するとともに、細幅部８３ｂの上端に金具側枢支孔８２ｂを形成している。また、細幅部８３ｂには、下端側一部を広幅部８３ａと重なるように鞘部８５を設けている。
【００４５】
この鞘部８５は矩形筒状に形成されており、手掛り棒４１を摺動自在に挿通可能としている。また、図１１及び図１２に示すように、鞘部８５の側面下端には湾状の切欠部８５ｃ，８５ｃが形成され、手掛り棒４１の下端部に突設した係合ピン４４と係合可能としている（図８参照）。なお、図９及び図１０において、符号８６は鞘部８５内に形成される手掛り棒挿通空間を脚柱２１寄りの位置で貫通するピン体を示している。したがって、脚柱２１とピン体８６との間には所定幅の間隙が形成される。そのため、ピン体８６で仕切られた外側の空間内に挿通された手掛り棒４１は、上下摺動したときに脚柱２１と干渉することが防止される。
【００４６】
一方、棒受金具８３の広幅部８３ａには、その下端近傍に前述の弧状長孔からなる回動ガイド部９２と、この回動ガイド部９２よりも上側に所定間隔をあけて第１の位置決め孔９１ａと第２の位置決め孔９１ｂとが形成されている。
【００４７】
ところで、図７に示すように、左右の脚部２，２は、連結金具２３，２３を介して足場板１と開脚自在及び折畳自在に連結されている。なお、連結金具２３，２３は、足場板１の側面に取付けられた固定板２３ａと、脚柱２１の上端部に固着されている可動板２３ｂと、両者を回転自在に連結する枢軸２３ｃと、固定板２３ａ及び可動板２３ｂに形成された連結孔２３ｄ，２３ｄに挿通される連結ピン２３ｅとから構成される周知構造のものを使用している。
【００４８】
本実施形態に係る足場台は、上述してきた構成により、使用者（作業者）は、左右一対の手掛り棒４１からなる手掛部４の姿勢を、図４に示す傾斜姿勢、若しくは図６に示す直立姿勢のいずれかを選択することができることになる。
【００４９】
したがって、足場板１上の作業領域が狭くならないことを優先したり、足場板１からの踏み外しを可及的に防止することを優先したりすることができる。
【００５０】
ところで、上述してきた例では、位置決め部９１としては、手掛り棒４１を傾斜姿勢に位置決めする（図４参照）第１の位置決め孔９１ａと、起立姿勢に位置決めする（図６参照）第２の位置決め孔９１ｂとの二個所に限定したが、必ずしも二個所に限定されるものではない。
【００５１】
例えば、図１３に示すように、複数の位置決め孔９１ｃを設けることにより、手掛部４の傾斜姿勢を３個所以上異ならせるようにすることもできる。
【００５２】
また、例えば、回動ガイド部９２のように位置決め孔を長孔状に形成して、手掛部４を起立姿勢から任意の傾斜姿勢まで無段階に姿勢調整可能とすることもできる。
【００５３】
また、上述してきた実施形態では、取付姿勢を調整可能とした棒保持部８は、一方の脚部２にのみ取付け、他方の脚部２には手掛り棒４１を脚柱２１に沿ってのみ摺動自在とした固定式のガイド体９を設けた構造としたが、図１４に示すように、両方の脚部２，２それぞれに棒保持部８を設けることもできる。
【００５４】
このように、左右の脚部２，２に棒保持部８を設けた場合、図示するように、左右の手掛部４を直立させることができ、足場板１上の作業領域を最大限に広げることもできる。
【００５５】
ところで、足場台用手掛り棒保持金具８０は、足場台に予め組付けた状態ではなく、別体として流通させることもできる。すなわち、足場台用手掛り棒保持金具８０のみを購入して既設の足場台に取付けることも可能である。
【００５６】
上述してきた実施形態より、以下の作業用足場台及び棒保持金具が実現される。
【００５７】
すなわち、矩形形状の足場板１と、この足場板１の対向する短辺側縁部１０，１０（短辺部）にそれぞれ取付けられて一対をなす脚部２と、少なくとも一方の脚部２の両側部に上下方向に引き出し自在に取付けられた左右一組の手掛り棒４１，４１からなる手掛部４と、少なくとも一方の脚部２の両側部にそれぞれ取付けられ、手掛り棒４１，４１を取付姿勢調整自在に保持可能とした棒保持部８とを具備する作業用足場台が実現される。
【００５８】
かかる足場台によれば、これを利用するために脚部２を昇降する使用者（作業者）は、手掛り棒４１を自分の昇降し易い好みに合った位置（姿勢）となるように調整することができ、足場台としての使い勝手が向上する。
【００５９】
また、上記構成において、前記左右一組の手掛り棒４１，４１間に、踏み外し防止用の横架バー５を配設した作業用足場台が実現される。
【００６０】
かかる足場台によれば、使用者（作業者）は、作業領域が狭くならないことを優先したり、あるいは足場台からの踏み外しを可及的に防止することを優先したりするなど、自らの意思で選択できるため使い勝手が向上する。また、作業領域が著しく狭くならず、かつ足場台からの踏み外しも防止可能な位置に踏み外し防止用の横架バー５を位置させることができる。
【００６１】
また、上記構成において、前記棒保持部８は、前記脚部２の左右一対の脚柱２１，２１の外側面に固着されるベース金具８１と、このベース金具８１の表面上部に、枢軸８２を中心に回動自在に取付けられた棒受金具８３とを備え、棒受金具８３は、手掛り棒４１を摺動自在に保持可能であり、かつ所定位置（上方突出位置又は下方収納位置）で固定する固定具８４を備えた鞘部８５と、この鞘部８５の下方に位置し、当該棒受金具８３を所定回動位置で固定する位置決め部９１と、当該棒受金具８３の回動動作を案内する回動ガイド部９２とを備える足場台が実現される。
【００６２】
かかる足場台によれば、簡単な構造で手掛部４の姿勢変更を容易かつ確実に行うことができる。
【００６３】
また、上記構成において、前記手掛部４を、前記一対の脚部２，２にそれぞれ取付け、前記足場板１の長辺側縁部１１（長辺部）を挟んで対向する手掛り棒４１，４１間に手摺３を架設するとともに、前記手摺３を、スライド自在に嵌装される内装部材３ａと外装部材３ｂとから構成し、前記手掛り棒４１の引き出し動作に応じて伸縮可能に構成した足場台が実現される。
【００６４】
かかる構成とすれば、手摺３の長さなどを気にすることなく、手掛部４の姿勢を自由に変更することができる。また、手掛部４の手掛り棒４１，４１を上方へスライドさせるだけで手摺３が簡便に組み上がることになり、手摺３の組立作業性が著しく向上する。
【００６５】
また、上記構成において、前記一対の脚部２，２を、それぞれ折畳・開脚自在に構成するとともに、少なくとも前記手掛部４を配設した側の脚部２を、踏桟２２を備える梯子状脚体とした足場台が実現される。
【００６６】
かかる構成によれば、足場板１上への昇降が容易となり、使い勝手が向上する。
【００６７】
また、かかる構成において、脚部２，２の開脚角度を、左右それぞれで異ならせた足場台とすることもできる。
【００６８】
例えば、一方の脚部２の開脚角度を９０度に近づけた場合、この９０度に近づけた脚部２を例えば壁側一杯に寄せて足場台を使用するなど、用途の自由度を高めることができる。
【００６９】
さらに、足場板１に取付けられた脚部２の両側の脚柱２１，２１に取付けられ、手掛り棒４１を摺動自在に保持するとともに、所定位置（上方突出位置又は下方収納位置）で固定可能としており、前記脚柱２１の外側面に固着されるベース金具８１と、このベース金具８１の表面上部に、枢軸８２を中心に回動自在に取付けられた棒受金具８３とを備え、前記棒受金具８３は、前記手掛り棒４１を摺動自在に保持可能であり、かつ所定位置（上方突出位置又は下方収納位置）で固定する固定具８４を備えた鞘部８５と、この鞘部８５の下方に位置し、当該棒受金具８３を所定回動位置で固定する位置決め部９１と、当該棒受金具８３の回動動作を案内する回動ガイド部９２と、を備える足場台用手掛り棒保持金具８０が実現される。
【００７０】
かかる構成とすれば、既存の足場台などにも後付けすることができる。したがって、本保持金具８０を既存の足場台に取り付けることによって、手掛部４や手摺３を備え、かつ手掛部４の姿勢変更を行うことのできる安全性及び利便性の高い足場台とすることができる。
【００７１】
以上、本発明の実施形態を図面に基づいて詳細に説明したが、これらは例示であり、当業者の知識に基づいて種々の変形、改良を施した他の形態で本発明を実施することが可能である。本実施形態では、主要材料をアルミニウムやアルミ合金としているが、適宜材料を変更しても構わない。
【符号の説明】
【００７２】
１    足場板
２    脚部
３    手摺
３ａ    内装部材
３ｂ    外装部材
４    手掛部
５    横架バー
８    棒保持部
２１    脚柱
２２    踏桟
４１    手掛り棒
８１    ベース金具
８２    枢軸
８３    棒受金具
８４    固定具
８５    鞘部
９１    位置決め部
９２    回動ガイド部
【図１】
0005628635.tif 000002
【図２】
0005628635.tif 000003
【図３】
0005628635.tif 000004
【図４】
0005628635.tif 000005
【図５】
0005628635.tif 000006
【図６】
0005628635.tif 000007
【図７】
0005628635.tif 000008
【図８】
0005628635.tif 000009
【図９】
0005628635.tif 000010
【図１０】
0005628635.tif 000011
【図１１】
0005628635.tif 000012
【図１２】
0005628635.tif 000013
【図１３】
0005628635.tif 000014
【図１４】
0005628635.tif 000015